(57)【要約】  本発明は、秘密にすべきデータ（３Ａ）が適用される支持体に関し、前記支持体は、基材（１）と、基材（１）に適用される背景、特に、文字を不規則に配置するマスキング背景（２Ｃ）とを備え、前記文字はＵＶライトの下で燐光性である透過的非発色印刷インキから形成される。【選択図】図１
2018517582.tif 000002
【特許請求の範囲】
【請求項１】
基材（１）と、
前記基材（１）上に適用される背景、特に、文字を不規則に配置する隠蔽背景（２Ｃ）と、を備え、
前記文字が、ＵＶライトの下で燐光を発する、透過的な非発色印刷インキから形成される、機密データ（３Ａ）を適用するためのキャリア。
【請求項２】
請求項１に記載のキャリアと、
その上に適用される機密データ（３Ａ）と
を備え、
前記機密データ（３Ａ）が、外的物理的及び／または化学的作用の前には透過的である耐熱ハイドロクロミック及び／またはピエゾクロミック印刷インキから形成される、あるいは、その色合いが、外的物理的または化学的作用の前には前記基材（１）の色合いと同一であり、かつ、印刷インキが、前記外的物理的または化学的作用の後には不可逆的に非透過である、あるいは、前記外的物理的及び／または化学的作用の後には前記基材（１）の前記色合いとは、不可逆的に異なる、適用された機密データ（３Ａ）を有するデータキャリア。
【請求項３】
基材（１）と、
前記基材（１）上に適用される背景、特に、文字を不規則に配置する隠蔽背景（２Ａ）と、を備え、
前記文字が、外的物理的及び／または化学的作用の場合に、不可逆的にその色合いを変える耐熱ハイドロクロミック及び／またはピエゾクロミック印刷インキから形成される、機密データ（３）を適用するためのキャリア。
【請求項４】
請求項３に記載のキャリアと、
前記キャリアの前記背景（２Ａ）上に適用される機密データ（３）と、を備え、
機密データ（３）が非発色印刷インキから形成され、その色合いが、外的物理的及び／または化学的作用の前には前記背景（２Ａ）の前記色合いと同一であり、前記外的物理的及び／または化学的作用の後には前記背景（２Ａ）の前記色合いとは異なる、適用された機密データ（３）を有するデータキャリア。
【請求項５】
基材（１）と、
前記基材（１）上に適用される背景、特に、文字を不規則に配置する隠蔽背景（２Ｂ）であって、前記文字が非発色印刷インキから形成される、隠蔽背景（２Ｂ）と、
前記背景（２Ｂ）上に適用され、外的物理的または化学的作用が行われる場合に、不可逆的に非透過になる透過耐熱ハイドロクロミック及び／またはピエゾクロミック印刷インキを備える層（４）と、を備える、機密データ（３）を適用するためのキャリア。
【請求項６】
請求項５に記載のキャリアと、
透過的耐熱ハイドロクロミック及び／またはピエゾクロミック印刷インキを備える前記層（４）上に適用される機密データ（３）と、を備え、
前記機密データ（３）が非発色印刷インキから形成され、その色合いが、前記背景（２Ｂ）の前記色合いと同一であり、外的物理的及び／または化学的作用の後には、透過的耐熱ハイドロクロミック及び／またはピエゾクロミック印刷インキを備える前記層（４）の非透過的色合いとは異なる、適用された機密データ（３）を有するデータキャリア。
【請求項７】
前記隠蔽背景（２Ａ、２Ｂ、２Ｃ）が、文字の不規則配置からなり、ラスタ化要素の位置にあることを特徴とする、請求項１〜６のうちいずれか一項に記載のキャリアまたはデータキャリア。
【請求項８】
前記外的物理的及び／または化学的作用の前の前記背景（２Ａ）の前記耐熱ハイドロクロミック及び／またはピエゾクロミック印刷インキの前記色合い、あるいは、前記背景（２Ｂ）の前記非発色印刷インキの前記色合いが、黒色である
ことを特徴とする、請求項３〜７のうちいずれか一項に記載のキャリアまたはデータキャリア。
【請求項９】
前記外的物理的及び／または化学的作用が、水分及び／または圧力による作用であることを特徴とする、請求項１〜８のうちいずれか一項に記載のキャリアまたはデータキャリア。
【請求項１０】
前記耐熱ハイドロクロミック及び／またはピエゾクロミック印刷インキが、特に適用前に、マトリクス液体中の液体充填マイクロスフェアの分散として存在することを特徴とする、請求項１〜９のうちいずれか一項に記載のキャリアまたはデータキャリア。
【請求項１１】
前記それぞれの印刷インキが、０．５ｇ／ｍ２〜５ｇ／ｍ２の層厚さで適用されることを特徴とする、請求項１〜１０のうちいずれか一項に記載のキャリアまたはデータキャリア。
【請求項１２】
前記隠蔽背景（２Ａ、２Ｂ、２Ｃ）が、オフセット印刷、凸版印刷、グラビア印刷、フレキソ印刷、またはスクリーン印刷によって適用され、
前記機密データ（３）が、熱定着印刷方法、特に、レーザまたはインクジェット印刷方法によって適用されることを特徴とする、請求項１〜１１のうちいずれか一項に記載のキャリアまたはデータキャリア。
【発明の詳細な説明】
【技術分野】
【０００１】
本発明は、機密データを適用するためのキャリアに関する。さらに、本発明は、適用された機密データを有するデータキャリアに関する。
【背景技術】
【０００２】
オンラインバンキングのためのＴＡＮ番号、チェックカードまたはクレジットカードを有効化するためのＰＩＮ番号、モバイル通信アプリケーションのためのＰＵＫ番号、アクセスコード、あるいは同様のものなどの機密データを伝達するために、特殊なデータキャリアが通常、差出人から受取人に転送され、そのデータキャリアは、受取人と異なる人が機密データについての知識を得ることができないようにすることが意図される。
【０００３】
この点について、特許文献１は、秘密情報を伝達するための文書を開示しており、文書は、互いに固定的に連結される紙シートとカーボンコピーとの組から構成され、秘密情報をカーボンコピーに書き込む機械的プリンタ、及び紙シートを印刷する非機械的プリンタが、文書を印刷するために使用される。しかしながら、この解決方法は、印刷技術の点で、及び、文書の構造に関して、比較的複雑になる。
【０００４】
さらにまた、機密データがスクラッチコーティングで覆われ、データは受取人がスクラッチコーティングをはがし取ることで見ることができるようになる、たとえば、特許文献２及び特許文献３で説明されるような、データキャリアが知られている。前記データキャリアを製作するために、紙基材は、たとえばレーザプリンタで、機密データとともに印刷され、その後、印刷された領域にはクリアワニスが設けられ、次いで、スクラッチワニス層が設けられる。前記データキャリアの場合、機密データの完全なセキュリティは保証されないが、それは、最初に印刷された情報が、印刷後すぐには、次のコーティングステップで隠されるまで、可視のままであるからである。さらに、コーティング作業は、前記技術の場合、比較的複雑になる。
【０００５】
特許文献４は、機密データが透過発色印刷インキで形成され、最初、可視ではないが、キャリアの加圧処理の結果として恒久的に可視になる、多層データキャリアを開示している。
【０００６】
特許文献５は、機密データが、非サーモクロミック濃インキによって形成され、サーモクロミックインキを使用して印刷される暗い隠蔽背景上に適用されるデータキャリアを開示している。隠蔽背景のサーモクロミックインキ上に熱が作用すると、前記データは可読になり、よって、その光学特性は変化する。前記サーモクロミック読取保護は、典型的なレーザ印刷の場合など、すべての熱定着印刷技術の場合に不都合があることが判明している。許可されていない操作が明確に検出可能である場合、先行技術はそれに応じて、熱定着レーザプリンタによる機密データの適用を妨げる。しかしながら、まさにこの種類のレーザプリンタは、今日では、至る所で標準的である。冷間定着レーザプリンタは概して、非常に特定の適用のためにのみ使用されるが、それは、それらの作業が、熱定着システムとは対照的に、ほとんどの適用について不経済であるからである。
【０００７】
特許文献６及び特許文献７は、構造的または基礎的印刷、及び機密データが適用される透過性キャリアを有するデータキャリアを開示している。キャリア、及び構造的または基礎的印刷は、適用された情報を読むことができるように、分離されなければならない。ここで、発色インキ層は、許可されていない人が、たとえば熱または溶剤で、適用された機密データを見ようとする場合に検出できるようにするための、セキュリティ機構として働く。
【先行技術文献】
【特許文献】
【０００８】
【特許文献１】独国特許出願公開第１９７４７８１８号明細書
【特許文献２】独国特許出願公開第１０１５０１３６号明細書
【特許文献３】独国特許出願公開第１９７３３８７６号明細書
【特許文献４】米国特許第４１０９０４７号明細書
【特許文献５】米国特許出願公開第２００１／００２０７８５号明細書
【特許文献６】国際公開第２００９／１０３０２１号
【特許文献７】欧州特許出願公開第２３０１７６１号明細書
【発明の概要】
【発明が解決しようとする課題】
【０００９】
本発明は、機密データを適用するためのキャリアを提供すること、及び簡単に製作できる、適用された機密データを有するデータキャリアの問題に関し、それにより、機密データの最大限のセキュリティが保証される。さらに、機密データの適用は、一般的な印刷方法によって、特に、熱定着印刷方法によって、特に、標準的なレーザプリンタによって可能となる。
【課題を解決するための手段】
【００１０】
本発明に従って、前記問題は、独立請求項の主題によって解決される。有利な実施形態は、従属請求項の主題である。
【００１１】
本発明は、耐熱ハイドロクロミック及び／またはピエゾクロミック印刷インキの不可逆的変化によって、機密データを基材またはキャリア上で見えるようにする一般的概念に基づき、インキから機密データが形成される、または、インキが機密データとともにキャリア上に位置する。
【００１２】
これは、第一に、キャリアまたはデータキャリアの製作は、単に１つの印刷作業または複数の印刷作業だけが必要であるので、比較的、簡単であり、第二に、許可されていない第三者が、痕跡を残さずに機密データを読み取ることができないという利点を有する。
【００１３】
本発明の好ましい例示的な実施形態が図面に示され、以下の説明においてより詳細に説明され、同一の名称は、同一または類似の、あるいは機能的に同一の特徴に関する。
【図面の簡単な説明】
【００１４】
【図１】図１は、本発明の第２の実施形態による、データキャリアの断面図を示す。
【図２】図２は、本発明の第４の実施形態による、データキャリアの断面図を示す。
【図３】図３は、本発明の第６の実施形態による、データキャリアの断面図を示す。
【図４】図４は、第１、第３、及び第５の実施形態による、キャリアの背景の平面図を示し、隠蔽背景は実際には、第１の実施形態の場合、透過的である。
【図５】図５は、第２、第４、及び第６の実施形態による、物理的及び／または化学的作用がデータキャリア上で行われた後の、データキャリアの機密データの平面図を示す。
【図６】図６は、隠蔽背景において、かつ機密データの適用中の両方で使用される文字の異なるラスタ厚さ及びラスタ幅の例を示す。
【図７】図７は、追加的に機密データの許可されていない識別をより難しくまたは事実上不可能にする所望のモアレ効果を説明するための略図を示す。
【発明を実施するための形態】
【００１５】
第１の実施形態において、本発明は、基材（１）と、基材（１）上に適用されて、ＵＶライトの下で燐光を発し始める非発色透過印刷インキを備える隠蔽背景（２Ｃ）とを備える、機密データを適用するためのキャリアに関する。
【００１６】
図１に示される第２の実施形態において、本発明は、上記の第１の実施形態のキャリアと、キャリアの背景（２Ｃ）上に適用される機密データ（３Ａ）とを備える、適用された機密データ（３Ａ）を有するデータキャリアに関し、機密データ（３Ａ）は、外的物理的及び／または化学的作用の前には透過的である耐熱ハイドロクロミック及び／またはピエゾクロミック印刷インキから形成される、あるいは、印刷インキの色合いは、外的物理的及び／または化学的作用の前には基材（１）の色合いと同一であり、かつ、外的物理的及び／または化学的作用の後には不可逆的に非透過である、あるいは、外的物理的及び／または化学的作用の後には基材（１）の色合いとは、不可逆的に異なる。
【００１７】
印刷インキを用いて印刷できる全体が任意の平坦な構造は、便宜上、基材（１）として使用することができる。特に、紙またはポリマーフィルム（ポリエチレン、ポリプロピレンなど、任意選択的に好適な方法で着色されている）、好ましくは、市販の面積比重量を有する紙が、基材（１）として使用される。たとえば、７０〜９０ｇ／ｍ２、特に、８０ｇ／ｍ２の面積比重量を有するオフセット用紙を、紙として使用することができる。
【００１８】
図５に例として示される機密データ（３Ａ）は、耐熱ハイドロクロミック及び／またはピエゾクロミック印刷インキから形成され、外的物理的及び／または化学的作用がある場合、透過状態から非透過状態に不可逆的に変わる、または、その色合いを不可逆的に変える。
【００１９】
外的物理的及び／または化学的作用は、水分及び／または圧力による作用を意味することが理解される。
【００２０】
ここで、対応する耐熱ハイドロクロミック及び／またはピエゾクロミック印刷インキは、ハイドロクロミック、ピエゾクロミック、またはピエゾクロミック／ハイドロクロミック印刷インキと呼ばれる。
【００２１】
好適な耐熱ハイドロクロミック及び／またはピエゾクロミック印刷インキ、あるいは耐熱ハイドロクロミック及び／またはピエゾクロミック印刷インキのための耐熱ハイドロクロミック及び／またはピエゾクロミック構成要素は、当業者に知られている。
【００２２】
ここで、特に、ピエゾクロミック印刷インキは、均一な液体としてのみ存在することはできないが、むしろ、マトリクス液体中の液体充填、たとえば水充填マイクロスフェアの分散とすることができる。ここで、マイクロスフェア中の液体は、適用された硬化した印刷インキに圧力を作用させる場合に放出させることができ、マトリクスの構成要素との化学的及び／または物理的反応を行うことができる。ここで、前記反応は、マトリクスの脱色または変色を引き起こすことができる。
【００２３】
たとえば、不可逆フォトクロミック及びサーモクロミック印刷インキ、または発色印刷インキのための構成要素は、Ｉｓｒａｅｌ、ＮｅｓｈｅｒのＳｋｙｒａｄ  Ｌｔｄ．社、及びＧｒｅａｔ  Ｂｒｉｔａｉｎ、ＦｌｉｎｔｓｈｉｒｅのＬＣＲ  Ｈａｌｌｃｒｅｓｔ  Ｌｔｄ．社から入手できる。
【００２４】
たとえば、Ｇｒｅａｔ  Ｂｒｉｔａｉｎ、ＥｓｓｅｘのＬｕｍｉｎｅｓｃｅｎｃｅ社の「ＵＶ  Ｆｌｕｏｒｅｓｃｅｎｔ  Ｉｎｋｓ」は、ＵＶライトの下で燐光を発し始める透過印刷インキを備える隠蔽背景のために使用することができる。
【００２５】
第２の実施形態の適用された機密データ（３Ａ）を有する上記のデータキャリアの場合、機密データ（３Ａ）は透過的であるか、または基材（１）と同じ色合いを有し、その結果、機密データ（３Ａ）は基材（１）上で識別できない。しかしながら、物理的及び／または化学的作用が、たとえば、コインまたは同様のもの縁部による摩擦によりデータキャリアに加圧することで、機密データ（３Ａ）の耐熱ハイドロクロミック及び／またはピエゾクロミック印刷インキ上で行われる場合、機密データ（３Ａ）の耐熱ハイドロクロミック及び／またはピエゾクロミック印刷インキは、不可逆的に非透過になる、あるいは、機密データ（３Ａ）の耐熱ハイドロクロミック及び／またはピエゾクロミック印刷インキの色合いが変わり、基材１の色合いとは不可逆的に異なるようになる。結果として、基材（１）上に印刷された機密データ（３Ａ）は、不可逆的に可視になる。ここで、機密データ（３Ａ）の第三者による検知されていない識別は、前記作業の不可逆性によって確実に防がれる。
【００２６】
前記発明のすべての実施形態に関連して、耐熱ハイドロクロミック及び／またはピエゾクロミック印刷インキが、その技術的性質を失うことなく、少なくとも２５０℃の最大温度限界まで加熱できるハイドロクロミック及び／またはピエゾクロミック印刷インキを意味することは理解される。これは、特に、標準的なレーザ印刷方法などの熱定着印刷方法に不可欠である。
【００２７】
第３の実施形態において、本発明は、基材（１）と、基材（１）上に適用され、文字を不規則に配置する背景（２Ａ）とを備え、前記文字が、外的物理的及び／または化学的作用の場合に、不可逆的にその色合いを変える耐熱ハイドロクロミック及び／またはピエゾクロミック印刷インキから形成される、機密データ（３）を適用するためのキャリアに関する。
【００２８】
第２の実施形態のキャリアの基材、ならびに耐熱ハイドロクロミック及び／またはピエゾクロミック印刷インキに関して、第１の実施形態の基材、ならびにデータキャリアの耐熱ハイドロクロミック及び／またはピエゾクロミック印刷インキに関して対応するコメントを参照する。
【００２９】
図４に例として示される背景（２Ａ）の不規則に配置された文字は、数字、字、または任意の所望の形状を有する他の文字などの、任意の所望の文字とすることができる。背景（２Ａ）の文字は、背景と同じ色合いで背景（２Ａ）に印刷される機密データ（３）が、表面を見るときも、データキャリアを通して見ることが潜在的に可能である場合にも識別できないような数及び密度で適用される。この種類の背景または基礎的印刷は、隠蔽背景とも呼ばれ、図に加えて、好ましくは、数字及び他の文字もラスタ化要素の位置にある。この種類の隠蔽背景の好都合な実施態様は、当業者には知られており、そのため、本明細書ではさらに詳細には説明しない。機密データのラスタ厚さ、ラスタ幅、及びラスタ角度への、ラスタ厚さ、ラスタ幅、及びラスタ角度に関する隠蔽背景のラスタ化要素の適合は、所望のモアレ効果を達成するために、当業者が実行することができる。
【００３０】
図７は、本発明によって好ましいように説明される所望のモアレ効果を視覚的に説明する略図を示す。
【００３１】
図２に示される第４の実施形態において、本発明は、上記の第３の実施形態のキャリアと、キャリアの前記背景（２Ａ）上に適用される機密データ（３）とを備え、機密データ（３）が非発色印刷インキから形成され、その色合いが、外的物理的及び／または化学的作用の前には隠蔽背景の色合いと同一であり、外的物理的及び／または化学的作用の後には隠蔽背景（２Ａ）の色合いとは異なる、適用された機密データ（３）を有するデータキャリアに関する。
【００３２】
ここで、たとえば、好適な色合いを有する、すべてのレーザプリンタの任意のトナーまたはすべてのインクジェットプリンタの任意のインクは、図５に例として示される機密データ（３）のための非発色印刷インキとして使用することができる。
【００３３】
第４の実施形態の適用された機密データ（３）を有する上記のデータキャリアの場合、機密データ（３）は、背景（２Ａ）の文字の耐熱ハイドロクロミック及び／またはピエゾクロミック印刷インキと同じ色合いを有し、その結果、機密データ（３）は識別することができない。しかしながら、物理的及び／または化学的作用が、たとえば、コインまたは同様のものの縁部を使用する摩擦によりコーティングしてない基材側部からデータキャリアに加圧することで、背景（２Ａ）の文字の耐熱ハイドロクロミック及び／またはピエゾクロミック印刷インキ上で行われる場合、背景（２Ａ）の文字の耐熱ハイドロクロミック及び／またはピエゾクロミック印刷インキの色合いは変わり、機密データ（３）の色合いとは不可逆的に異なるようになる。結果として、背景（２Ａ）に印刷される機密データ（３）は、不可逆的に可視になる。ここで、機密データ（３）の第三者による検知されていない識別は、前記作業の不可逆性によって確実に防がれる。
【００３４】
第５の実施形態において、本発明は、基材（１）と、基材（１）上に適用され、隠蔽背景、たとえば文字の不規則配置を備える背景（２Ｂ）であって、文字が非発色印刷インキから形成される、背景（２Ｂ）と、隠蔽背景（２Ｂ）上に適用され、外的物理的及び／または化学的作用が行われる場合に、不可逆的に非透過になる透過耐熱ハイドロクロミック及び／またはピエゾクロミック印刷インキを備える層（４）とを備える、機密データ（３）を適用するためのキャリアに関する。
【００３５】
第５の実施形態のキャリアは、隠蔽背景（２Ｂ）の文字が非発色印刷インキから形成され、透過的耐熱ハイドロクロミック及び／またはピエゾクロミック印刷インキを備える層（４）が隠蔽背景（２Ｂ）上にあるという点で、第３の実施形態のキャリアと異なる。前記違いのみ、以下の本文で説明する。
【００３６】
それぞれの印刷方法に好適で、外的物理的及び／または化学的作用の結果としてその色合いを変えない任意の所望の印刷インキは、非発色印刷インキとして使用することができる。ここで、たとえば、Ｇｅｒｍａｎｙ、Ｓｅｈｎｄｅ  ＨｏｖｅｒのＪａｎｅｃｋｅ  ＋  Ｓｃｈｎｅｅｍａｎｎ  Ｄｒｕｃｋｆａｒｂｅｎ  ＧｍｂＨ社のｂｌａｃｋ  ｎｏ．  ０９３１１０は、具体例として挙げることができる。
【００３７】
第５の実施形態のキャリアの基材、ならびに透過的耐熱ハイドロクロミック及び／またはピエゾクロミック印刷インキに関して、第１の実施形態の基材、ならびにキャリアの耐熱ハイドロクロミック及び／またはピエゾクロミック印刷インキに関して対応する記述を参照する。ここで、当業者は、非発色印刷インキを備える隠蔽背景（２Ｂ）の文字が、透過的耐熱ハイドロクロミック及び／またはピエゾクロミック印刷インキを通して可視でなければならないようでなければならない好適な透過性を有する耐熱ハイドロクロミック及び／またはピエゾクロミック印刷インキを選択することが可能である。
【００３８】
図３に示される第６の実施形態において、本発明は、上記の第５の実施形態のキャリアと、透過的耐熱ハイドロクロミック及び／またはピエゾクロミック印刷インキを備える層（４）上に適用される機密データ（３）とを備え、機密データ（３）が非発色印刷インキから形成され、その色合いが、外的物理的及び／または化学的作用の前には隠蔽背景（２Ｂ）の色合いと同一であり、外的物理的及び／または化学的作用の後には、透過的耐熱ハイドロクロミック及び／またはピエゾクロミック印刷インキを備える層（４）の非透過的色合いと異なる、適用された機密データ（３）を有するデータキャリアに関する。
【００３９】
第６の実施形態によるデータキャリアの場合における機密データ（３）のための非発色印刷インキに関して、第４の実施形態によるデータキャリアに関して対応する実施形態を参照する。
【００４０】
第６の実施形態の適用された機密データ（３）を有する上記のデータキャリアの場合、機密データ（３）は、隠蔽背景（２Ｂ）の文字の非発色印刷インキと同じ色合いを有し、その結果、機密データ（３）は識別することができない。しかしながら、物理的及び／または化学的作用が、たとえば、コインまたは同様のものの縁部を使用する摩擦によりコーティングしてない基材側部からデータキャリアに加圧することで、透過耐熱ハイドロクロミック及び／またはピエゾクロミック印刷インキ（層４）上で行われる場合、透過的耐熱ハイドロクロミック及び／またはピエゾクロミック印刷インキは非透過的になり、機密データ（３）の色合いとは不可逆的に異なるようになる。結果として、背景（２Ｂ）は、非透過印刷インキを通してもはや識別することができず、非透過印刷インキ上に印刷される機密データ（３）は、不可逆的に可視になる。ここで、機密データ（３）の第三者による検知されていない識別は、前記作業の不可逆性によって確実に防がれる。
【００４１】
オフセット印刷、凸版印刷、グラビア印刷、フレキソ印刷、またはスクリーン印刷などの従来どおりの印刷方法は、耐熱ハイドロクロミック及び／またはピエゾクロミックあるいは非発色隠蔽背景（２Ａ）または２Ｂと、透過的耐熱ハイドロクロミック及び／またはピエゾクロミック印刷インキを備える層（４）とを有する本発明の１つの実施形態によるキャリアを製作するための基材（１）を印刷するために使用することができる。ここで、当業者は、より簡単な方法で、それぞれの基材及びそれぞれの印刷インキに最適な印刷方法を選択することが可能である。
【００４２】
１つの好ましい実施形態によると、耐熱ハイドロクロミック及び／またはピエゾクロミックあるいは非発色隠蔽背景（２Ａ）または（２Ｂ）、ならびに透過的発色印刷インキを備える層（４）の層厚さは、好ましくは、０．５ｇ／ｍ２〜５ｇ／ｍ２の範囲であり、さらに好ましくは、０．８ｇ／ｍ２〜４ｇ／ｍ２の範囲、特に、１．０ｇ／ｍ２〜３ｇ／ｍ２の範囲である。
【００４３】
さらに好ましい実施形態によると、外的物理的及び／または化学的作用の前の背景の耐熱ハイドロクロミック及び／またはピエゾクロミック印刷インキの色合い、あるいは、背景の非発色印刷インキの色合いは、黒色である。
【００４４】
最後に、本発明によるデータキャリアを製作するための機密データ（３）を有する基材またはキャリアの印刷は、耐熱ハイドロクロミック及び／またはピエゾクロミック印刷インキの文字に適合する従来どおりの印刷方法により行われる。すなわち、印刷方法は、その色合いを変える物理的及び／または化学的作用、特に、圧力及び／または水分が、印刷方法の実行中、耐熱ハイドロクロミック及び／またはピエゾクロミック印刷インキにもたらされないように選択される。対応する選択は、当業者にとって簡単な方法で可能である。機密データを有する基材またはキャリアを印刷するための印刷方法の例は、たとえば、レーザ印刷及びインクジェット印刷である。
【００４５】
本発明は、特に、熱定着レーザプリンタによる機密データの適用に好適であり、それは、本発明による耐熱ハイドロクロミック及び／またはピエゾクロミック印刷インキが、熱には反応しないが、水分（ハイドロクロミック）または圧力（ピエゾクロミック）または、圧力と水分との組合せに反応するためである。
【００４６】
上述の実施形態の１つの有利な展開において、異なる数字、図、及び文字だけでなく、位置におけるラスタ化要素も、機密データの許可されていない検出を防ぐ基礎的印刷のためのさらなるセキュリティ機構として使用される。製作され、当業者に知られているモアレ効果により、前記ラスタ化要素は、ラスタ化された数字、図、または文字として同様に印刷できる機密データの検出をより確実に防止する。ここで、背景、特に隠蔽背景、及び、機密データの両方が、実施形態に応じて、耐熱ハイドロクロミック及び／またはピエゾクロミック印刷インキによって、あるいは、非発色印刷インキによって、形成される。
【００４７】
上述の機構は、本発明の範囲を逸脱しない範囲で、それぞれ指定した組合せだけでなく、他の組合せまたは単独で使用できることは言うまでもない。
【００４８】
以下の実施例は、本発明をさらに説明するものであり、限定であると解釈すべきではない。
【実施例１】
【００４９】
基材として１００ｇ／ｍ２の面積比重量の白色のオフセット用紙のシートが、非発色透過的印刷インキ（層厚さ０．６ｇ／ｍ２、Ｇｒｅａｔ  Ｂｒｉｔａｉｎ、ＥｓｓｅｘのＬｕｍｉｎｅｓｃｅｎｃｅ社の「ＵＶ  Ｆｌｕｏｒｅｓｃｅｎｔ  Ｉｎｋｓ」）を備える隠蔽背景とともにオフセット印刷を使用して印刷され、次いで、機密データとしての数字が、透過的ピエゾクロミック印刷インキ（層厚さ：０．９ｇ／ｍ２、Ｓｗｉｔｚｅｒｌａｎｄ、ＬａｕｓａｎｎｅのＳｉｃｐａ社から入手可能なＣｏｉｎ  Ｒｅａｃｔｉｖｅ  Ｉｎｋ、色合い：コインによる圧力作用前は無色、コインによる圧力作用後は黒色）によって市販のインクジェットプリンタで印刷された。その結果、第２の実施形態に従った本発明によるデータキャリアが得られた。データキャリア上の機密データは識別されなかった。
【００５０】
機密データが存在するデータキャリアのその領域において、基材の印刷された側の得られたデータキャリア上で、強力な摩擦作用がコインによって行われ、その結果、印刷された機密データは見ることができるようになった。
【実施例２】
【００５１】
基材として８０ｇ／ｍ２の面積比重量の白色のオフセット用紙のシートが、背景として隠蔽背景（層厚さ：０．６ｇ／ｍ２）とともに印刷された。その結果、第３の実施形態に従った本発明によるキャリアが得られた。ここで使用された印刷インキは、圧力の作用後、色合いが変化する不可逆的ピエゾクロミック黒色印刷インキであった。次いで、機密データとしての数字は、黒色トナーで市販のレーザプリンタによって前記背景上に印刷され、その結果、第４の実施形態に従った本発明によるデータキャリアが得られた。データキャリア上の機密データは識別されなかった。
【００５２】
得られたデータキャリアは硬い表面上に置かれ、コインの縁部でこすることによって、基材のコーティングしてない側から、機密データが存在するデータキャリアのその領域上に、圧力が加えられた。その結果、印刷された機密データは見ることができるようになった。
【実施例３】
【００５３】
基材として９０ｇ／ｍ２の面積比重量の緑色のオフセット用紙のシートが、隠蔽背景（層厚さ：０．６ｇ／ｍ２）とともに印刷された。使用された印刷インキは、非発色黒色印刷インキ（Ｇｅｒｍａｎｙ、Ｓｅｈｎｄｅ  ＨｏｖｅｒのＪａｎｅｃｋｅ  ＋  Ｓｃｈｎｅｅｍａｎｎ  Ｄｒｕｃｋｆａｒｂｅｎ  ＧｍｂＨ社のｂｌａｃｋ  ｎｏ．  ０９３１１０）であった。次いで、透過的耐熱ハイドロクロミック印刷インキを備える層（層厚さ：０．９ｇ／ｍ２）が背景上に適用された。その結果、第５の実施形態に従った本発明によるキャリアが得られた。次いで、機密データとしての数字は、黒色トナーで市販のレーザプリンタによって前記層上に印刷され、その結果、第６の実施形態に従った本発明によるデータキャリアが得られた。データキャリア上の機密データは識別されなかった。
【００５４】
次いで、得られたデータキャリアの機密データが存在する位置を水で湿らせた。隠蔽背景上に適用されて、ハイドロクロミック印刷インキを備えた層は、結果として、不可逆的に緑色になった。適用された機密データは、結果として、不可逆的に見ることができるようになった。
【００５５】
本発明は、特に、キャリアの背景、特に、隠蔽背景（２Ａ、２Ｂ、２Ｃ）が、印刷された製品の大量生産のために利用可能である印刷技術で製作され、機密データが、熱定着印刷方法、特に、レーザ印刷方法によって適用されるデータキャリアの製作に好適である。印刷された製品の大量生産は好ましくは、オフセット印刷、凸版印刷、グラビア印刷、フレキソ印刷、またはスクリーン印刷で行われる。
【符号の説明】
【００５６】
１  基材
２Ａ  隠蔽背景（ハイドロクロミック及び／またはピエゾクロミック）
２Ｂ  隠蔽背景（非発色）
２Ｃ  ＵＶライトの下で燐光を発する透過的非発色印刷インキを備える隠蔽背景
３  非発色印刷インキを備える機密データ
３Ａ  透過的ハイドロクロミック及び／またはピエゾクロミック印刷インキを備える機密データ
４  透過的ハイドロクロミック及び／またはピエゾクロミック印刷インキを備える層
【図１】
2018517582.tif 000003
【図２】
2018517582.tif 000004
【図３】
2018517582.tif 000005
【図４】
2018517582.tif 000006
【図５】
2018517582.tif 000007
【図６】
2018517582.tif 000008
【図７】
2018517582.tif 000009
【国際調査報告】
2018517582.tif 000010
2018517582.tif 000011
2018517582.tif 000012
2018517582.tif 000013
2018517582.tif 000014
2018517582.tif 000015
2018517582.tif 000016
2018517582.tif 000017
2018517582.tif 000018
2018517582.tif 000019
2018517582.tif 000020
2018517582.tif 000021